(57)【特許請求の範囲】
【請求項１】
複数の櫛歯と、前記複数の櫛歯を連結する連結部とにより構成される取り付け部と、
前記取り付け部に植設される毛髪と
を備え、
前記複数の櫛歯のうちの１本の櫛歯の長さは、他の櫛歯の長さに比べて長く、
前記複数の櫛歯が、網目状の糸状物により構成されるかつらベースの網目に差し込まれることにより、前記取り付け部が前記かつらベースに固定される
かつら用増毛具。
【請求項２】
前記他の櫛歯より長い櫛歯の前記連結部と連結しない先端には、突起部が設けられる
請求項１に記載のかつら用増毛具。
【請求項３】
前記突起部は、球状である
請求項２に記載のかつら用増毛具。
【請求項４】
前記連結部には凹部が設けられ、
前記毛髪は、前記連結部の前記凹部に植設される
請求項１に記載のかつら用増毛具。
【請求項５】
前記櫛歯は波型である
請求項１に記載のかつら用増毛具。
【発明の詳細な説明】
【技術分野】
【０００１】
本発明は、かつら用増毛具に関し、特に、かつらのヘアスタイルを手軽に長時間変化させることができるようにしたかつら用増毛具に関する。
【背景技術】
【０００２】
髪の毛の少ない人は、かつらを装着することにより、毛量を多く見せることができる。しかしながら、かつらのヘアスタイルは製造時に決まるため、ヘアスタイルを変化させるときには、かつら全体を買い換える必要がある。例えば、かつらに施すヘアメッシュの色やかつらの毛量を変化させる場合、かつらを買い換える必要がある。そのため、かつらのヘアスタイルを手軽に自由自在に変化させたいという要望がある。【０００３】
一方、近年、地毛のヘアスタイルを手軽に自由自在に変化させてお洒落を楽しむために、地毛に水溶性の止め具などで直接接着したり、バネ性を利用した止め金やヘアピンなどで挟持固定したりするヘアエクステンションと呼ばれる付け毛が開発されている（例えば、特許文献１参照）。使用者は、このヘアエクステンションを地毛に装着することにより、例えば、あたかもヘアメッシュを施したようにヘアスタイルを変化させることができる。【０００４】
しかしながら、水溶性の止め具などでヘアエクステンションを地毛に接着する場合、地毛が痛むうえ、美容師などの専門家に装着を依頼する必要があり、面倒であった。また、ヘアエクステンションを、バネ性を利用した止め金で地毛に挟持固定する場合、見た目や装着感が悪く、ヘアピンで地毛に挟持固定する場合、ヘアエクステンションが外れやすい。従って、このようなヘアエクステンションを容易に長時間装着することは困難であった。【０００５】
【特許文献１】実開昭６２−６７５０２号公報
【発明の開示】
【発明が解決しようとする課題】
【０００６】
そこで、かつら特有の性質を利用して、容易に長時間装着可能なかつら用のヘアエクステンションを開発し、かつらのヘアスタイルを手軽に長時間変化可能にすることが望まれている。【０００７】
本発明は、このような状況に鑑みてなされたものであり、かつらのヘアスタイルを手軽に長時間変化させることができるようにするものである。
【課題を解決するための手段】
【０００８】
本発明の一側面は、複数の櫛歯と、前記複数の櫛歯を連結する連結部とにより構成される取り付け部と、前記取り付け部に植設される毛髪とを備え、前記複数の櫛歯のうちの１本の櫛歯の長さは、他の櫛歯の長さに比べて長く、前記複数の櫛歯が、網目状の糸状物により構成されるかつらベースの網目に差し込まれることにより、前記取り付け部が前記かつらベースに固定されるかつら用増毛具である。
【０００９】
本発明の一側面においては、１本の櫛歯の長さが他の櫛歯の長さに比べて長い複数の櫛歯が連結部により連結されて構成される取り付け部に、毛髪が植設され、前記複数の櫛歯が、網目状の糸状物により構成されるかつらベースの網目に差し込まれることにより、前記取り付け部が前記かつらベースに固定される。
【発明の効果】
【００１０】
以上のように、本発明の一側面によれば、かつらのヘアスタイルを手軽に自由自在に変化させることができる。
【図面の簡単な説明】
【００１１】
【図１】本発明を適用した増毛具の一実施の形態の構成例を示す斜視図である。
【図２】図１の取り付け部の上面図と側面図である。
【図３】増毛具の取り付け方法について説明する図である。
【図４】かつらベースに取り付けられた増毛具の側面図である。
【符号の説明】
【００１２】
１０  増毛具，  １１  取り付け部，  １２  毛髪，  ２１乃至２３  櫛歯，  ２１Ａ乃至２３Ａ  突起部
【発明を実施するための最良の形態】
【００１３】
図１は、本発明を適用した増毛具の一実施の形態の構成例を示す斜視図である。【００１４】
図１の増毛具１０は、取り付け部１１に毛髪１２が植設されることにより構成される。図２のＡは、図１の取り付け部１１の上面図であり、図２のＢは側面図である。【００１５】
図１や図２に示すように、取り付け部１１は、波型に湾曲した３本の櫛歯２１乃至２３が平行に連結部２４に連結されることにより構成される。【００１６】
３本の櫛歯２１乃至２３のうち、中央の櫛歯２３以外の２本の櫛歯２１，２２の長さは等しく、中央の櫛歯２３の長さは、櫛歯２１，２２に比べて長くなっている。また、櫛歯２１，２２の連結部２４に連結しない側の先端には、図１中上方向に突起する突起部２１Ａ，２２Ａが設けられ、櫛歯２３の連結部２４に連結しない側の先端には、球状の突起部２３Ａが設けられている。毛髪１２は、連結部２４に対して櫛歯２１乃至２３と反対側に流れるように植設される。【００１７】
なお、本実施の形態では、増毛具１０を構成する櫛歯の数は３本となっているが、櫛歯の数は、勿論、これに限定されない。【００１８】
次に、図３を参照して、図１の増毛具１０のかつらへの取り付け方法について説明する。なお、図３は、増毛具１０が取り付けられたかつらを装着した人体の頭部を上から見た図である。また、図３では、説明の便宜上、かつらに植設された毛髪および取り付け部１１に植設された毛髪を１本ずつ記載しているが、実際には複数本植設される。【００１９】
図３に示すように、かつら４０は、かつらベース４１を構成する網目状の糸状物に毛髪４２を１本ずつ縛りつけて固定することにより形成される。かつら４０の使用者は、増毛具１０をかつら４０に取り付ける場合、まず、かつらベース４１の装着面の反対側から、突起部２３Ａが装着面の反対側に突起するようにして、かつら４０の毛髪４２の流れる方向に向けて、かつらベース４１の網目に突起部２３Ａを差し込み、突起部２３Ａをかつらベース４１の装着面側に出す。次に、使用者は、差し込んだ網目に隣接する網目からかつらベース４１の装着面の反対側に突起部２３Ａを出し、その網目に隣接する網目に、再度突起部２３Ａを差し込む。これにより、突起部２３Ａが網目に引っ掛かり、増毛具１０はかつらベース４１に固定される。【００２０】
なお、櫛歯２３の長さは、他の櫛歯２１，２２に比べて長いので、かつらベース４１に差し込むとき、および、かつらベース４１に増毛具１０を取り付けた後の安定性が良い。従って、かつらベース４１に増毛具１０を容易に長時間装着することができる。【００２１】
また、櫛歯２３には突起部２３Ａが設けられているので、増毛具１０をかつら４０に取り付けた際、その突起部２３Ａがかつらベース４１の網目に引っ掛かり抜けにくい。さらに、櫛歯２３の突起部２３Ａは球状になっているので、突起部２３Ａを差し込んだ際に頭皮を傷つけることを防止することができる。【００２２】
また、かつらベース４１は一般的に薄いため、連結部２４の素材として薄い素材を用いることにより、かつらベース４１の網目への取り付けを、より容易に可能にするとともに、取り付け時の見た目を良くすることができる。【００２３】
さらに、増毛具１０の毛髪１２は、連結部２４に対して櫛歯２１乃至２３と反対側に流れるように植設されるので、図３に示すように、増毛具１０がかつらベース４１に取り付けられた際、かつら４０の毛髪４２と増毛具１０の毛髪１２の流れる方向は反対になる。【００２４】
そして、かつら４０の使用者は、増毛具１０をかつらベース４１に取り付けた後、図４に示すように、毛髪１２が増毛具１０の上で、かつらベース４１に植設されている毛髪４２と同じ方向になるように整える。これにより、増毛具１０の毛髪１２にボリューム感を出すとともに、増毛具１０を取り付けたままかつら４０全体にスタイリングを施しても増毛具１０を外れにくくすることができる。なお、図４は、増毛具１０がかつらベース４１に取り付けられた場合の増毛具１０の側面図である。【００２５】
以上のように、増毛具１０は、３本の櫛歯２１乃至２３が連結部２４により連結される取り付け部１１を有しており、櫛歯２３の長さが他の櫛歯２１，２２に比べて長いので、かつらベース４１に差し込むとき、および、かつらベース４１に増毛具１０を取り付けた後の安定性が良く、かつらベース４１に増毛具１０を容易に長時間装着することができる。【００２６】
即ち、増毛具１０は、かつら４０がかつらベース４１を有するという性質を利用して、かつらベース４１に容易に長時間装着可能な形状の取り付け部１１を有することにより、かつら４０の使用者のヘアスタイルを手軽に長時間変化させることを可能にする。【００２７】
その結果、かつら４０の使用者は、増毛具１０の毛髪１２を用いて、ヘアスタイルを手軽に長時間変化させてお洒落を楽しむことができる。例えば、かつら４０の使用者は、かつら４０の毛髪４２とは異なる色の毛髪１２が植設された増毛具１０をかつら４０に取り付けることにより、ヘアメッシュを施したようにヘアスタイルを手軽に変化させ、そのヘアスタイルを長時間楽しむことができる。【００２８】
なお、本発明の実施の形態は、上述した実施の形態に限定されるものではなく、本発明の要旨を逸脱しない範囲において種々の変更が可能である。
【図１】
0005408454.tif 000002
【図２】
0005408454.tif 000003
【図３】
0005408454.tif 000004
【図４】
0005408454.tif 000005